(57)【特許請求の範囲】
【請求項１】
外ケースと内ケースとの間に冷気循環経路を形成するとともに、前記内ケースに、前記冷気循環経路と連通する冷気送風ダクトを設け、該冷気送風ダクトの前面と両側面側には、前方及び両側方に開放された商品貯蔵部が形成され、前記冷気送風ダクトの上部の冷気吹出口から、前記内ケースの外周部の冷気吸込口に向かって冷気が吹き出され、前記商品貯蔵部の上方に形成された冷気のエアカーテンにより、商品貯蔵部の商品を保冷するようにした冷蔵ショーケースにおいて、
前記冷気送風ダクトの前面と両側面とが交差する両角部の壁面からは、前記商品貯蔵部の両コーナー部に向かってそれぞれ延出する筒状の冷気誘導ダクトが前記内ケースの底面上に当接するように設けられ、
前記冷気誘導ダクトは、前記冷気循環経路と連通するとともに、少なくともその延在方向両側部には、前記商品貯蔵部のコーナー部に冷気を吐出する吐出孔が設けられていることを特徴とする冷蔵ショーケース。
【請求項２】
冷気誘導ダクトの高さを、コーナー部に向かうにしたがって漸次小となるようにしたことを特徴とする請求項１に記載の冷蔵ショーケース。
【請求項３】
冷気誘導ダクトを下向きコ字状断面をなすものとし、その上面と両側面に複数の吐出孔を設けたことを特徴とする請求項１または２に記載の冷蔵ショーケース。
【請求項４】
冷気誘導ダクトに設けた吐出孔の大きさを、コーナー部に向かうほど大としたことを特徴とする請求項１ないし３のいずれかに記載の冷蔵ショーケース。
【請求項５】
冷気誘導ダクトに設けた吐出孔の個数を、コーナー部に向かうほど多くなるようにしたことを特徴とする請求項１ないし４のいずれかに記載の冷蔵ショーケース。
【請求項６】
コーナー部の商品貯蔵部の下方の冷気循環経路内に、内ケースの外周部の冷気吸込口より冷気を吸い込む吸引ファンを設けたことを特徴とする請求項１ないし５のいずれかに記載の冷蔵ショーケース。
【発明の詳細な説明】
【技術分野】
【０００１】
本発明は、スーパーマーケットやコンビニエンスストア等において、冷蔵または冷凍商品を陳列するのに使用される冷蔵ショーケースに係わり、特に、商品陳列棚のないラウンド型の冷蔵ショーケースにおいて、そのコーナー部の商品貯蔵部の冷却効果を向上させることができるようにした冷蔵ショーケースに関する。
【背景技術】
【０００２】
少なくとも前面と一側面が開放されたラウンド型の冷蔵ショーケースにおいては、コーナー部の商品貯蔵部に十分な冷気のエアカーテンが形成されず、その部分に陳列した商品の冷却効果が低いという問題がある。この問題に対処するために、コーナー部の冷却効果を高める対策を講じた冷蔵ショーケースが種々提案されている（例えば、特許文献１〜４参照）。
【先行技術文献】
【特許文献】
【０００３】
【特許文献１】特開平１１−２３７１５８号公報
【特許文献２】特開２００６−１６２１１８号公報
【特許文献３】特許第４３６２１９０号公報
【特許文献４】特許第４３６２１９１号公報
【発明の概要】
【発明が解決しようとする課題】
【０００４】
前述の特許文献１に記載されている冷蔵ショーケースは、商品貯蔵部の底板に複数の冷気吹き出し口を設けて、底板上の商品貯蔵部全体を冷却するようにしたもので、コーナー部の商品貯蔵部を積極的に冷却することはできない。
【０００５】
前述の特許文献２に記載の冷蔵ショーケースは、商品貯蔵部の側部に冷気導入ダクトを設けて、これに導入された冷気を上方に吹き出すようにしたものであるため、コーナー部の商品貯蔵部の底板上に載置した商品の冷却効果がやや低い。
【０００６】
前述の特許文献３及び４に記載の冷蔵ショーケースは、いずれも、商品陳列棚を備えるラウンド型の冷蔵ショーケースであって、特許文献３に記載の冷蔵ショーケースは、コーナー部の棚板支持用のブラケットを送風ダクトとすることにより、また、特許文献４に記載の冷蔵ショーケースは、コーナー部のブラケットにより支持された棚板をダクト構造とすることにより、それぞれ、コーナー部に十分なエアカーテンが形成されるようにし、主として棚板のコーナー部に載置した商品を効果的に冷却することを目的としたものである。そのため、商品陳列棚のないラウンド型の冷蔵ショーケースにおいては、コーナー部の商品貯蔵部の底板上に載置した商品の冷却効果がやや低いという問題がある。
【０００７】
本発明は、このような問題点に着目してなされたもので、商品陳列棚のないラウンド型の冷蔵ショーケースであっても、コーナー部の商品貯蔵部に陳列した商品の冷却効果を向上させることができるようにした冷蔵ショーケースを提供することを目的としている。
【課題を解決するための手段】
【０００８】
前記課題を解決するために、本発明の冷蔵ショーケースは、
外ケースと内ケースとの間に冷気循環経路を形成するとともに、前記内ケースに、前記冷気循環経路と連通する上向きの冷気送風ダクトを設け、この冷気送風ダクトの少なくとも前面と一側面側に、前方及び一側方に開放された商品貯蔵部を形成し、前記冷気送風ダクトの上部の冷気吹出口から、前記内ケースの外周部の冷気吸込口に向かって冷気を吹き出し、前記商品貯蔵部の上方に冷気のエアカーテンを形成することにより、商品貯蔵部の商品を保冷するようにした冷蔵ショーケースにおいて、
前記冷気送風ダクトの前面と一側面が交差する角部の壁面に、前記商品貯蔵部のコーナー部に向かって延出するとともに、前記商品貯蔵部のコーナー部に冷気を吐出する複数の吐出孔を有する冷気誘導ダクトを、前記冷気送風ダクトの内部空間と連通するようにして設けたことを特徴としている。
この特徴によれば、冷気誘導ダクトに穿設された複数の吐出孔より、冷気送風ダクト内の冷気が商品貯蔵部のコーナー部に吐出されるので、商品陳列棚のないラウンド型の冷蔵ショーケースであっても、またコーナー部に十分な冷気のエアカーテンが形成されなくても、コーナー部の商品貯蔵部に陳列された商品の冷却効果を向上させることができ、商品の品質管理が容易となる。
【００１０】
本発明の冷蔵ショーケースは、
冷気誘導ダクトの高さを、コーナー部に向かうにしたがって漸次小となるようにしたことを特徴としている。
この特徴によれば、仕切部材としても目立たず、かつ商品の陳列作業や取り出し時の障害となる恐れが小さくなる。
【００１１】
本発明の冷蔵ショーケースは、
冷気誘導ダクトを下向きコ字状断面をなすものとし、その上面と両側面に複数の吐出孔を設けたことを特徴としている。
この特徴によれば、冷気誘導ダクト内に誘導された冷気が、その上方と両側方とに吐出されるので、コーナー部の商品貯蔵部の冷却効率が高くなる。
【００１２】
本発明の冷蔵ショーケースは、
冷気誘導ダクトに設けた吐出孔の大きさを、コーナー部に向かうほど大としたことを特徴としている。
この特徴によれば、冷気の吐出量がコーナー部ほど大となるので、商品貯蔵部が広い大型の冷蔵ショーケースでも、あるいはエアカーテンの下方に乱れが生じても、コーナー部の外周部の商品貯蔵部に陳列した商品が効果的に冷却される。
【００１３】
本発明の冷蔵ショーケースは、
冷気誘導ダクトに設けた吐出孔の個数を、コーナー部に向かうほど多くなるようにしたことを特徴としている。
この特徴によれば、冷気の吐出量がコーナー部ほど大となるので、商品貯蔵部が広い大型の冷蔵ショーケースでも、あるいはエアカーテンの下方に乱れが生じても、コーナー部の外周部の商品貯蔵部に陳列した商品が効果的に冷却される。
【００１４】
本発明の冷蔵ショーケースは、
コーナー部の商品貯蔵部の下方の冷気循環経路内に、内ケースの外周部の冷気吸込口より冷気を吸い込む吸引ファンを設けたことを特徴としている。
この特徴によれば、コーナー部の外周部の冷気の還流効率が向上し、下方のエアカーテンに乱れが生じる恐れが小さくなるので、コーナー部の商品貯蔵部に陳列された商品の冷却効果をより向上させることができる。
【図面の簡単な説明】
【００１５】
【図１】本発明の冷蔵ショーケースの一実施例を示す斜視図である。
【図２】同じく、平面図である。
【図３】図２のII−II線に沿う拡大縦断側面図である。
【図４】冷気誘導ダクトの変形例を示す拡大斜視図である。
【図５】同じく、冷気誘導ダクトの他の変形例を示す拡大斜視図である。
【発明を実施するための形態】
【００１６】
本発明に係る冷蔵ショーケースを実施するための形態を実施例に基づいて以下に説明する。
【実施例】
【００１７】
図１は、本発明の冷蔵ショーケースの斜視図、図２は、同じく平面図、図３は、図２のII−II線に沿う拡大縦断側面図である。冷蔵ショーケース１は、前面（以下、図２の紙面手前を前として説明する）と右側面と後面が開放されたラウンド型のものよりなり、基台２と、その上面に固定された平面視ほぼ方形のショーケース本体３とからなっている。ショーケース本体３は、その下面と前後左右の４面を閉塞する断熱筐体よりなる外ケース４と、その上面の開口部を閉塞する、商品陳列用の底板を兼ねるほぼ水平の内ケース５とを備えている。
【００１８】
図１に示すように、内ケース５の中央部上面には、上面が閉塞されるとともに、下面が、外ケース４と内ケース５との間に形成される内部空間に連通する左右方向に長い冷気送風ダクト６が立設されている。内ケース５の上部、すなわち冷気送風ダクト６の前面と右側面と後面側には、前方、右側方及び後方に開放された商品貯蔵部Ｓが形成されている。
【００１９】
図２に示すように、冷気送風ダクト６の左側面を除いた壁面の上部には、上下複数の冷気吹出口７が形成されている。また、内ケース５における左側部を除いた外周部には、前記冷気吹出口７より吹き出された冷気を吸引する多数の冷気吸込口８が形成されている。
【００２０】
図３に示すように、外ケース４と内ケース５との間の内部空間は、隔壁９により上下に仕切られ、隔壁９の下方の冷気循環経路１０には、下方吹き出し型の２個の吸引ファン１１、１１と、２個の冷却器１２、１２とが収容されている。なお、冷気送風ダクト６は、隔壁９の下方の冷気循環経路１０と連通している。また、冷気送風ダクト６内の下端部には、上方吹き出し型の３個の送風ファン１３が、左右方向に等間隔おきに設けられている。
【００２１】
図２及び図３に示すように、吸引ファン１１は、内ケース５の前後のコーナー部の直下の冷気循環経路１０内に設けられ、内ケース５のコーナー部の外周部に形成された複数の冷気吸込口８より、冷気を効率よく吸引しうるようにしてある。
【００２２】
吸引ファン１１と送風ファン１３を作動させると、図３の矢印で示すように、冷却器１２により冷却された冷気が、冷気送風ダクト６に流入し、それに設けた複数の冷気吹出口７より吹き出された冷気が、内ケース５の冷気吸込口８より吸引されることにより、内ケース５の商品貯蔵部Ｓの上方に冷気のエアカーテンが形成され、このエアカーテンを介して、外ケース４と内ケース５との間の内部空間と冷気送風ダクト６内を、冷気が循環されるようになる。商品貯蔵部Ｓに陳列された商品は、前述のエアカーテンにより保冷される。
【００２３】
また、冷気送風ダクト６の前面と右側面と後面とが交差する角部の壁面には、商品貯蔵部Ｓのコーナー部に向かって延出するコ字状断面の冷気誘導ダクト１４、１４の後端が固着されている。両冷気誘導ダクト１４の後端は、冷気送風ダクト６の角部の壁面に穿設された送風孔１５を介して、冷気送風ダクト６の内部と連通している。両冷気誘導ダクト１４は、その下端が内ケース５のコーナー部の上面と当接するようにして取り付けられ、これにより、商品貯蔵部Ｓを前方と右側方と後方に仕切る仕切部材を兼ねている。
【００２４】
さらに、両冷気誘導ダクト１４の高さは、冷気送風ダクト６から内ケース５のコーナー部（外周部）に向かうにしたがって漸次小とされ、側面形はほぼ直角三角形をなしている。冷気誘導ダクト１４の上面と両側面には、冷気送風ダクト６内の冷気を冷気誘導ダクト１４内に誘導して、商品貯蔵部Ｓのコーナー部に吐出するための吐出孔１６が、多数穿設されている。
【００２５】
以上説明したように、前記実施例の冷蔵ショーケース１においては、冷気送風ダクト６の前面と右側面と後面とが交差する角部の壁面に、商品貯蔵部Ｓのコーナー部に向かって延出するコ字状断面の冷気誘導ダクト１４、１４を設け、これに穿設した多数の吐出孔１６より、冷気送風ダクト６内の冷気を商品貯蔵部Ｓのコーナー部に吐出するようにしたことにより、商品陳列棚のないラウンド型の冷蔵ショーケースであっても、またコーナー部に十分な冷気のエアカーテンが形成されなくても、内ケース５におけるコーナー部の商品貯蔵部Ｓに陳列された商品の冷却効果を向上させることができ、商品の品質管理が容易となる。
【００２６】
また、吸引ファン１１、１１を、内ケース５の前後のコーナー部の直下の冷気循環経路１０内に設け、内ケース５のコーナー部の外周部に形成された複数の冷気吸込口８より、冷気を効率よく吸引するようにしているため、コーナー部の外周部の冷気の還流効率が向上し、下方のエアカーテンに乱れが生じる恐れが小さくなるので、コーナー部の商品貯蔵部Ｓに陳列された商品の冷却効果をより向上させることができる。
【００２７】
さらに、冷気誘導ダクト１４の下端を内ケース５の上面に当接させて、商品貯蔵部Ｓを前方と側方と後方に仕切る仕切部材を兼ねるようにしているので、仕切られた商品貯蔵部Ｓに、商品を種類別に、または整然と区分けして見栄えよく陳列することができ、販売促進効果が増大する。
【００２８】
冷気誘導ダクト１４の高さを、冷気送風ダクト６から内ケース５のコーナー部（外周部）に向かうにしたがって漸次小としてあるので、仕切部材としても目立たず、かつ商品の陳列作業や取り出し時の障害となる恐れが小さくなる。
【００２９】
図４及び図５は、冷気誘導ダクト１４の変形例を示す拡大斜視図で、図４に示す冷気誘導ダクト１４は、その上面と両側面に穿設された吐出孔１６の大きさが、コーナー部（外周部）に向かうほど大とされ、図５に示す冷気誘導ダクト１４は、上面と両側面に穿設された吐出孔１６の個数が、コーナー部（外周部）に向かうほど多くなるようにしてある。
【００３０】
このようにすると、いずれの冷気誘導ダクト１４においても、冷気の吐出量がコーナー部（外周部）ほど大となるので、商品貯蔵部が広い大型の冷蔵ショーケースでも、あるいはエアカーテンの下方に乱れが生じても、コーナー部の外周部の商品貯蔵部に陳列した商品が効果的に冷却される。
【符号の説明】
【００３１】
１                冷蔵ショーケース
２                基台
３                ショーケース本体
４                外ケース
５                内ケース
６                冷気送風ダクト
７                冷気吹出口
８                冷気吸込口
９                隔壁
１０              冷気循環経路
１１              吸引ファン
１２              冷却器
１３              送風ファン
１４              冷気誘導ダクト
１５              送風孔
１６              吐出孔
Ｓ                商品貯蔵部
【図１】
0005869857.tif 000002
【図２】
0005869857.tif 000003
【図３】
0005869857.tif 000004
【図４】
0005869857.tif 000005
【図５】
0005869857.tif 000006